(57)【要約】【課題】  ホルダナットにセード保持機能の他にランプ光を下方に反射することができる機能を持たせると共に、器具本体への螺合方向の正逆何れの状態においてもセードが支持固定される照明器具を提供する。【解決手段】  器具本体と、セードと、ホルダナットと、を有してなる照明器具において、セード支持部を、雌ねじの一端側開口の周縁にてセードの中心部の雄ねじ周縁を支持する基端鍔部と同基端鍔部の外側で雌ねじの他端側に位置しセードの中心部より外周を支持する周縁鍔部とを有するように形成すると共に、基端鍔部と周縁鍔部との間に、器具本体に装着されたランプ光を下方に反射する反射部となる連続面を有するものである。【選択図】図１
2005216497.tif 000002
【特許請求の範囲】
【請求項１】
ランプ装着部の外周に雄ねじが設けられた器具本体と、同器具本体に装着されたランプの周りを略覆うセードと、前記器具本体の雄ねじを螺合する雌ねじと前記セードを支持するセード支持部とを有して該雌ねじに前記雄ねじを螺合させセードを支持固定するホルダナットとを備えてなる照明器具において、
前記セード支持部を、前記雌ねじの一端側開口の周縁にて前記セードの中心部の雄ねじ周縁を支持する基端鍔部と同基端鍔部の外側で雌ねじの他端側に位置しセードの中心部より外周を支持する周縁鍔部とを有するように形成すると共に、前記基端鍔部と周縁鍔部との間に、前記器具本体に装着されたランプ光を下方に反射する反射部となる連続面を有するものであることを特徴とする照明器具。
【請求項２】
前記ホルダナットは、前記器具本体への螺合方向の正逆何れの状態においても基端鍔部または周縁鍔部の何れか一方にて前記セードが支持固定されるものであることを特徴とする請求項１記載の照明器具。
【発明の詳細な説明】
【技術分野】
【０００１】
本発明は、器具本体にセードをホルダナットにより載置されて保持される照明器具に関するものである。
【背景技術】
【０００２】
従来から、ペンダント型照明器具として、例えば、図４、図５に示すような、ランプ装着部１０２ｂの外周に雄ねじ１０２ａが設けられた器具本体１０２と、器具本体１０２に装着されたランプ１０５の周りを略覆うセード１０３と、器具本体１０２の雄ねじ１０２ａに螺合する雌ねじ１０４ａを有するホルダナット１０４と、を備えている照明器具１０１がある。この場合、セード１０３は、器具本体１０２が上面の開口１０３ａから挿通され、ホルダナット１０４に開口１０３ａ周囲とセード支持部１０４ｂとが載置されて保持され、器具本体１０２に装着されたランプ１０５の周を略覆うようになっている。
【０００３】
また、別の照明器具として、図６に示すような、特開平８−３１２２４号公報に記載されているものがある。この照明器具２０１はダウンライト型照明器具であり、ランプ装着部２０２ｂとなるランプ装着用開口２０２ｃの外周に雄ねじ２０２ａが設けられた器具本体２０２と、器具本体２０２に装着されたランプ２０５の周りを略覆うセード２０３と、器具本体２０２の雄ねじ２０２ａを螺合する雌ねじ２０４ａとセード２０３を支持するセード支持部２０４ｂとを有して雌ねじ２０４ａに雄ねじ２０２ａを螺合させセード２０３を支持固定するホルダナット２０４とを有してなるもので、器具本体２０２は、天井面２０９に固定されたシーリングローゼット２０８に引掛け係止される係止爪を上面に備えており、このシーリングローゼット２０８を介して天井面２０９に設置される。この場合、シーリングローゼット２０８と器具本体２０２の上部周囲とが、その上端が天井面２０９に略当接すると共に下端近傍に器具本体２０２が挿通する挿通孔２０７ａを備えたフランジ２０７で覆われるようになっており、器具本体２０２には、フランジ２０７を係止する係止爪が、その側面方向に出没自在に配設されている。
【０００４】
この照明器具２０１は、まず、シーリングローゼット２０８に器具本体２０２が引掛け係止され、次いで、器具本体２０２にフランジ２０７が上記係止を介して係止され、ホルダナット２０４にその開口２０３ａ周縁部が載置されてセード２０３が保持され、器具本体２０２に装着されたランプ２０５の周を略覆うようになっている。
【０００５】
ところで、最近、調光、すなわちランプの明るさ調節以外の手段により、簡単な操作にて部屋の雰囲気の変更を可能とする光源の配光調節機能を備えた照明器具への要望が高まってきている。上記構成による照明器具の場合、セード１０３、２０３を別な部材に提供するか、あるいはセード内部にてランプ１０５、２０５の周を略覆う別の配光調節部材を付加させることとなり、コストが高くなることが想定された。
【特許文献１】特開平８−３１２２４号公報
【発明の開示】
【発明が解決しようとする課題】
【０００６】
本願発明は、上記背景技術に鑑みて発明されたものであり、その課題は、ホルダナットにセード保持機能の他にランプ光を下方に反射する機能をもたせたコストの上昇を抑えて光源の配光調節機能を実現できる照明器具を提供することである。
【課題を解決するための手段】
【０００７】
上記課題を解決するために、本願発明は、ランプ装着部の外周に雄ねじが設けられた器具本体と、同器具本体に装着されたランプの周りを略覆うセードと、前記器具本体の雄ねじを螺合する雌ねじと前記セードを支持するセード支持部とを有して該雌ねじに前記雄ねじを螺合させセードを支持固定するホルダナットとを有してなる照明器具において、前記セード支持部を、前記雌ねじの一端側開口の周縁にて前記セードの中心部の雄ねじ周縁を支持する基端鍔部と同基端鍔部の外側で雌ねじの他端側に位置しセードの中心部より外周を支持する周縁鍔部とを有するように形成すると共に、前記基端鍔部と周縁鍔部との間に、前記器具本体に装着されたランプ光を下方に反射する反射部となる連続面を有するものである。
【０００８】
また、前記ホルダナットは、前記器具本体への螺合方向の正逆何れの状態においても基端鍔部または周縁鍔部の何れか一方にて前記セードが支持固定されるものが好ましい。
【発明の効果】
【０００９】
本願発明の照明器具のホルダナットにおいては、ランプ光が下方への集中配光とすることができ、更に、ホルダナットの螺合方向の状態により、ランプ光は、拡散光あるいは、下方への集中配光とすることができ、以って、調光、すなわちランプの明るさ調節以外の手段により、簡単な操作にて部屋の雰囲気の変更をすることができると共に、別の配光調節部材を付加させることなく低コストの照明器具を提供することができる。
【発明を実施するための最良の形態】
【００１０】
図１から図４は、本願の請求項１及び請求項２に対応した一実施形態である照明器具１を示している。この実施形態の照明器具１は、天井に固定された配線器具であるシーリングローゼット（図示せず）に配線６を介して取り付けられるもので、器具本体２と、セード３と、ホルダナット４と、ランプ５と、配線６と、を有している。
【００１１】
器具本体２は、後述するランプ５を装着すると共に、配線６を介して上面に配線器具であるシーリングローゼットに機械的、電気的に接続するものである。このものは、後述するホルダナット４の雌ねじ４ａを螺合する雄ねじ２ａと、ランプ５を装着するためのランプ装着部２ｂとを有し、下面側の小径部の内側にはランプ５を装着するための開口が設けられている。更に、器具本体２は、その上面に配線６を介して、シーリングローゼットに接続できるように形成されており、その外形は上側が大径の略段付き円筒状に形成されている。
【００１２】
セード３は、ランプ光を制御するためのものである。このものは、下面側に開口した略碗状で、少なくともランプ５の周を覆い、その上面側には器具本体２を挿通する開口３ａが設けられている。
【００１３】
なお、セード３は、下面側に開口した略碗状のものを例示したが、グローブのようなものであっても良い。
【００１４】
ホルダナット４は、セード３を器具本体に固定すると共に、ランプ光を下方に拡散光あるいは、下方への集中配光にするものである。このものは、器具本体２に設けた雄ねじ２ａに螺合する雌ねじ４ａと、基端鍔部４ｃと周縁鍔部４ｄと反射部４ｅを有し、セード支持部４ｂを、雌ねじ４ａの一端側開口の周縁にてセード３の中心部の雄ねじ２ａ周縁を支持する基端鍔部４ｃと基端鍔部４ｃの外側で雌ねじ４ａの他端側に位置しセード３の中心部より外周を支持する周縁鍔部４ｄとを有するように形成すると共に、基端鍔部４ｃと周縁鍔部４ｄとの間に、器具本体２に装着されたランプ５のランプ光を下方に反射する反射部４ｅとなる連続面を設けている。更に、ホルダナット４は、器具本体２への螺合方向の正逆何れの状態においても基端鍔部４ｃまたは周縁鍔部４ｄの何れか一方にてセード３が支持固定されるものである。
【００１５】
ランプ５は、電流を通して発光させるものであり、例えば、白熱灯であり、スイッチ（図示せず）の操作により、点灯、消灯するものである。
【００１６】
なお、ランプ５は、白熱灯を例示したが、蛍光灯型電球、ハロゲンランプであってもよい。
【００１７】
このように構成されている照明器具１は、基端鍔部４ｃによりセード３を保持した場合は、図１（ａ）に示すように、基端鍔部４ｃと周縁鍔部４ｄとの間にランプ５のランプ光を下方に反射する反射部４ｅとなる連続面を設けることにより、図１（ａ）の矢印が示す方向にランプ光が照射される。従って、ホルダナット４は、セード３保持機能の他にランプ光の反射セードの働きをするものである。また、このホルダナット４を周縁鍔部４ｄでセード３を保持した場合は、図１（ｂ）に示すように、反射部４ｅがランプ５と反対側の面にあるため、ランプ光は、矢印の方向に照射される。従って、この場合のホルダナット４は、従来例と同様の働きをするものである。
【００１８】
従って、調光、すなわちランプの明るさ調節以外の手段により、簡単な操作にて部屋の雰囲気の変更をすることができると共に、別の配光調節部材を付加させることなく低コストの照明器具を提供することができる。
【００１９】
なお、図１（ｂ）において、反射部４ｅの裏面、すなわち、ランプ５と同じ側の面に反射部（図示せず）を設けると、ランプ光が反射部により拡散反射するので、より一層、部屋の雰囲気の変更をすることができると共に、別の配光調節部材を付加させることなく低コストの照明器具を提供することができる。
【００２０】
なお、本願の実施形態においてペンダント型照明器具を例示したが、ダウンライト型照明器具のようなものであっても良い。
【００２１】
なお、配線器具としてシーリングローゼットを例示したが、角型、あるいは、丸型引掛けシーリングのようなものであっても良い。
【図面の簡単な説明】
【００２２】
【図１】本願発明の一実施形態である照明器具を示す一部破断した斜視図である。（ａ）は、基端鍔部によりセードを保持した場合の斜視図、（ｂ）は周縁鍔部によりセードを保持した場合の斜視図である。
【図２】（ａ）は同上の器具本体の斜視図及びホルダナットの斜視図、（ｂ）は同上の器具本体にホルダナット及びランプを装着した場合の斜視図である。
【図３】同上の照明器具のホルダナットの斜視図である。
【図４】従来例である照明器具の分解斜視図である
【図５】（ａ）は同上ホルダナットの斜視図、（ｂ）はホルダナットにより器具本体にセードを固定する場合の一部破断した斜視図、（ｃ）は器具本体にホルダナット及びランプを装着した場合の一部破断した斜視図である。
【図６】特開平８−３１２２４号公報に記載された従来例を示す断面図である。
【符号の説明】
【００２３】
１    照明器具
２    器具本体
２ａ  雄ねじ
２ｂ  ランプ装着部
３    セード
３ａ  開口
４    ホルダナット
４ａ  雌ねじ
４ｂ  セード支持部
４ｃ  基端鍔部
４ｄ  周縁鍔部
４ｅ  反射部
５    ランプ
【図１】
2005216497.tif 000003
【図２】
2005216497.tif 000004
【図３】
2005216497.tif 000005
【図４】
2005216497.tif 000006
【図５】
2005216497.tif 000007
【図６】
2005216497.tif 000008